(57)【要約】      （修正有）【課題】漏電信号の回数である計数値と、その漏電信号が任意の持続時間に達していることを知らせてくれる二つの同時性を兼ねている装置を提供する。【解決手段】漏電信号（入力信号）に対して、その信号の回数をカウンター（計数計）１に取り込み、それと同時に、抱き合わせたタイマー２で信号の連続性が、時間の設定値に達した時、それをランプ３で表示することで、絶縁状態が「不良のままである」ことを直ちに判明できる。【選択図】図１
0003141800.tif 000002
【実用新案登録請求の範囲】
【請求項１】
入力信号を計数計に残す装置（回路）と同時に時限を取る装置（回路）から成り立ち、時限アップでは、人に感知出来る表示ランプ（またはブザー）で、知らせる。
【考案の詳細な説明】
【技術分野】
【０００１】  本考案は、上位にドライ（またはこれに相当）接点を有したものを、入力信号とし、これを計数計に残し、同時に時限アップを計ってランプ表示
【背景技術】
【０００２】  現在の装置は、入力信号の計数だけ、または時限アップ出力のみに留めている。
上記を併せ備えている回路装置はない。
【考案の開示】
【考案が解決しようとする課題】
【０００３】  入力信号を数えているだけでは、計数情報量だけである。
また、上位の出力が途切れなく出力した場合、時限回路にて記憶しただけでは、時限アップという情報だけである。
カウントとタイムアップとが同時に判断出来れば、上位の内容が同時に二分される。
【課題を解決するための手段】
【０００４】  入力信号が数多くの断続でも、その数値を計数計で保持し、同時に、入力信号が、途切れなく入力された場合、時限回路にて記憶してあげる。それを、人に感知出来る表示にしてあげることで、その場で即、判断出来るようにした。
【考案の効果】
【０００５】入力信号による状況を、計数計で保持し、同時に、それが時限アップ情報であるかによりその状況情報を二分出来、処理判断は半分以下に時間短縮出来る。
【考案を実施するための最良の形態】
【０００６】本考案をデジタル回路出力で電波に乗せれば、知らせたい者に、リアルタイムに知らせることが出来る。
【実施例】
【０００７】  現在の漏電監視装置の目的は単純接点出力するだけである。
また、現在の漏電記憶装置の目的は全情報をリアルタイムに採るだけであるから、情報量を、より多く取り込む事を目的にしているため、情報量が膨大量になり、判定に時間を要する。
電気管理者は、現場にセットしたこの装置を見届けるだけで、次のことが判断出来る。
▲１▼  計数計が多く出ていれば、漏電が数多く出ていたことを察知。数多くあったということは、チャタリング現象を起こしていることを意味するのが判る。
それにより、電線回路の末端で不具合が発生している公算が大きい。
▲２▼  時限表示が出ていれば、漏電しっぱなしである事が判明。
それにより、電線回路に永久的不具合が発生しているから、配線途中で致命的破損現象か、または電線末端での器具破壊か、劣化による漏電と判明。
以上の二つの情報は、電気管理者にとっての判断負担が大きく軽減される。
【産業上の利用可能性】
【０００８】本考案の回路を諸製品の中に取り込むことで、さらにニーズに合った、製品になることだろう。
【図面の簡単な説明】
【０００９】
【図１】入力に対して、その信号カウント回路（またはカウンター）それに抱き合わせにタイマー回路を組み、タイムアップの出力を時限値としてやれば、計数値と時間値とが同時に記録される。
【符号の説明】
【００１０】１    ＭＭＣＢ  遮断器
２    Ｃｔ      カウンター
３    Ｔｍ      タイマー
４    Ｘ        リレー（Ｘ１〜Ｘ３はＸの接点）
５    Ｌ        ランプ（時限アップ表示）
【図１】
0003141800.tif 000003
【手続補正書】
【提出日】平成20年1月10日(2008.1.10)
【手続補正１】
【補正対象書類名】実用新案登録請求の範囲
【補正対象項目名】全文
【補正方法】変更
【補正の内容】
【実用新案登録請求の範囲】
【請求項１】
（１）：漏電信号（＝絶縁監視装置の出力信号）の回数を計数計に残す、
（２）：（１）の漏電が持続していて、セットした任意時間に達した時、それを表示ランプとして残す、
以上の二つを同時に受け分離することにより、漏電信号を単発性のものか、持続性のものかに分離出来るようにした装置。
【手続補正２】
【補正対象書類名】明細書
【補正対象項目名】全文
【補正方法】変更
【補正の内容】
【考案の詳細な説明】
【技術分野】
【０００１】本考案は、上位に漏電監視装置のドライａ接点と称する出力を有したものを、当該装置の漏電信号とし、これを計数計に残し、同時にその入力信号が任意時間に設定した時間に達していれば、その旨を表示ランプとした。
【背景技術】
【０００２】現有の装置は、漏電信号の回数である計数値と、その漏電信号が任意の持続時間に達していることを知らせてくれる二つの同時性を兼ねている装置がない。
【考案の開示】
【考案が解決しようとする課題】
【０００３】この装置に入ってくる漏電信号をすべてカウンターに取り込み回数記録し、任意時間の持続に達している漏電信号であれば記憶として表示ランプに残す。
漏電信号を数えているだけでは、何回あったという計数情報量だけである。また、漏電入力が途切れなく持続していた場合、すなわち持続性漏電信号を記憶しただけでは、漏電信号が単発に入ってきたのか、持続で入って来たりしていたのか、または混合して入って来たのかが判らない。
計数と持続性とが同時に判断出来れば、入力である漏電の性質が同時に二分され、漏電の原因を判り易くさせてくれる。
【課題を解決するための手段】
【０００４】漏電信号が短い時間に断続して何度でも来れば、その入力回数を計数計で保持し、同時に、漏電信号が途切れなく入力されて来るとすれば、それが任意設定時間に達したとき、タイムアップとして表示ランプ記憶してあげる。それを、場所を問わず人が容易に判断出来る装置にしてあげることで、この装置を現場で見ただけで、即、漏電の性質をより判り易い判断装置として利用出来る。
【考案の効果】
【０００５】漏電入力信号による状況を、計数計で保持し、同時に、それが任意持続時間情報であるかどうかにより、その漏電状況の情報を二分出来、起きている漏電の原因処理判断を半分以下に時間短縮出来る。
【考案を実施するための最良の形態】
【０００６】本考案は、現場で漏電の原因を検証出来るようにしたものであるが、デジタル出力にして外部に電波を使って乗せてあげれば、パソコンや携帯先に、リアルタイムで知らせることも出来る。
【実施例】
【０００７】現在の漏電監視装置の目的は「漏電がありました」という単純な情報を出力するのみである。
また、現在の漏電記憶装置のあるものは、その目的を全情報記録することにあり情報量の分析は、改めて人が解析しなければなりません。場合によっては、解析、判定に長い時間を要する。
電気管理者は、現場にセットしたこの「漏電源解明判断装置」を見届けるだけで、次のことが判断出来る。
（１）計数計が多く出ていれば、漏電が数多く出ていたことを察知。数多くあったということは、漏電箇所がチャタリング現象を起こしていることを意味していることが判る。これにより、電線回路の末端で絶縁の不具合が断続して繰り返えされ発生している公算が大きいことが予想出来る。
（２）表示ランプ（＝時限表示）が出ていれば、漏電しっぱなしである事が判明。
それにより、電線回路に永久的不具合が発生しているから、配線途中で致命的破損現象か、または電線末端での器具破壊か、劣化による絶縁不良による漏電と判明できる
以上の二つの情報は、電気管理者にとっての判断負担が大きく軽減される。
【産業上の利用可能性】
【０００８】本考案の回路を諸製品（温度上降下現象、物の通過現象など）の中に取り込み利用することで、さらにニーズに合った、製品になる可能性がある。
【図面の簡単な説明】
【０００９】図１の漏電信号（＝入力信号）に対して、その信号の回数をカウンター（計数計）に取り込み、それと同時に、抱き合わせたタイマー回路で信号の連続性が、時間の設定値に達した時、それをランプ表示にしてあげることで、絶縁状態が「不良のままである」ことを直ちに判明できる。
【図面の簡単な説明】
【００１０】
【図１】は漏電源解明判断装置のブロック図
【符号の説明】
【００１１】１    Ｃｔ    カウンター
２    Ｔｍ    タイマー
３    Ｌ      ランプ（時限アップ表示）
【手続補正３】
【補正対象書類名】図面
【補正対象項目名】全図
【補正方法】変更
【補正の内容】
【図１】
0003141800.tif 000004